(57)【要約】【課題】  不平衡型の同調回路を使用してバランスミキサにテレビジョン信号を平衡入力した新規のテレビジョンチューナを提供する。【解決手段】  不平衡型の同調回路１と、同調回路１の次段に設けられた平衡型のミキサ１７とを備え、同調回路１の出力端１ｂをインダクタンス素子１１と容量手段１２との直列回路１３を介して接地し、同調回路１の出力端１ｂをミキサ１７の一方の入力端に結合し、インダクタンス素子１１と容量手段１２との接続点をミキサ１７の他方の入力端に結合してミキサ１７の２つの入力端に入力される信号の位相を互いに逆位相にした。【選択図】        図１
0003103621.tif 000002
【実用新案登録請求の範囲】
【請求項１】
不平衡型の同調回路と、前記同調回路の次段に設けられた平衡型のミキサとを備え、前記同調回路の出力端をインダクタンス素子と容量手段との直列回路を介して接地し、前記同調回路の出力端を前記ミキサの一方の入力端に結合し、前記インダクタンス素子と前記容量手段との接続点を前記ミキサの他方の入力端に結合したことを特徴とするテレビジョンチューナ。
【請求項２】
前記インダクタンス素子を前記同調回路の出力端側に設けると共に、前記容量手段をグランド側に設け、前記インダクタンス素子と前記容量手段との直列共振周波数を前記同調回路から前記ミキサに入力される信号の周波数よりも低くしたことを特徴とする請求項１に記載のテレビジョンチューナ。
【請求項３】
前記容量手段を前記同調回路の出力端側に設けると共に、前記インダクタンス素子をグランド側に設け、前記インダクタンス素子と前記容量手段との直列共振周波数を前記同調回路から前記ミキサに入力される信号の周波数よりも高くしたことを特徴とする請求項１に記載のテレビジョンチューナ。
【請求項４】
前記容量手段の容量値を前記同調回路の同調周波数の増加にともなって小さくしたことを特徴とする請求項２又は３に記載のテレビジョンチューナ。
【請求項５】
前記同調回路には、同調電圧が印加されると共に同調周波数を変えるための第１のバラクタダイオードを設け、前記容量手段には少なくとも第２のバラクタダイオードを設け、第２のバラクタダイオードに前記同調電圧を印加したことを特徴とする請求項４に記載のテレビジョンチューナ。
【請求項６】
前記容量手段には前記第２のバラクタダイオードに直列に接続された容量素子を設けたことを特徴とする請求項５に記載のテレビジョンチューナ。
【考案の詳細な説明】
【技術分野】
【０００１】
この考案はテレビジョンチューナに関し、詳しくは、テレビジョン信号を平衡型ミキサに平衡入力したテレビジョンチューナに関する。
【背景技術】
【０００２】
従来のテレビジョンチューナの構成を図５に示す。平衡入力端子５１及び５２を、同調用コイル５３に接続すると共に、このコイル５３と並列に可変容量ダイオード５４とコンデンサ５５との直列回路を接続する。そして、可変容量ダイオード５４の容量を制御するための同調用直流電圧入力端子５６を、抵抗５７を介して可変容量ダイオード５４とコンデンサ５５との接続点に接続する。以上が一次側の構成である。
【０００３】
二次側構成として、同調用コイル６１をコンデンサ６２及び６３を介してダブルバランスミキサ２０側と接続する。そして、このコイル６１と並列に、可変容量ダイオード６４とコンデンサ６５との直列回路を接続する。そして、可変容量ダイオード６４の容量を制御するための同調用直流電圧入力端子６６を、抵抗６７を介して可変容量ダイオード６４とコンデンサ６５との接続点に接続する。そして、可変容量ダイオード６４と同調用コイル６１との間に抵抗６８の一端を接続し、抵抗６８の他端を接地する。
【０００４】
そして、局部発振器１４が出力する所定の周波数信号を同調回路の出力に混合して、所定周波数の中間周波信号とし、この中間周波信号を中間周波信号出力端子２１、２２に供給する（例えば、特許文献１参照。）。
【０００５】
【特許文献１】特開平０７−００７４５２号公報（図１）
【考案の開示】
【考案が解決しようとする課題】
【０００６】
上記の構成では、テレビジョン信号をダブルバランスミキサに平衡入力する為の手段として同調回路を平衡型に構成しているが、テレビジョンチューナに使用されている同調回路は、単同調回路及び同調回路を含めて構成が簡単で特性が安定している不平衡型が主流となっている。
【０００７】
そこで、本考案は、不平衡型の同調回路を使用してバランスミキサにテレビジョン信号を平衡入力した新規のテレビジョンチューナを提供することを目的とする。
【課題を解決するための手段】
【０００８】
上記課題を解決する手段として、不平衡型の同調回路と、前記同調回路の次段に設けられた平衡型のミキサとを備え、前記同調回路の出力端をインダクタンス素子と容量手段との直列回路を介して接地し、前記同調回路の出力端を前記ミキサの一方の入力端に結合し、前記インダクタンス素子と前記容量手段との接続点を前記ミキサの他方の入力端に結合した。
【０００９】
また、前記インダクタンス素子を前記同調回路の出力端側に設けると共に、前記容量手段をグランド側に設け、前記インダクタンス素子と前記容量手段との直列共振周波数を前記同調回路から前記ミキサに入力される信号の周波数よりも低くした。
【００１０】
また、前記容量手段を前記同調回路の出力端側に設けると共に、前記インダクタンス素子をグランド側に設け、前記インダクタンス素子と前記容量手段との直列共振周波数を前記同調回路から前記ミキサに入力される信号の周波数よりも高くした。
【００１１】
また、前記容量手段の容量値を前記同調回路の同調周波数の増加にともなって小さくした。
【００１２】
また、前記同調回路には、同調電圧が印加されると共に同調周波数を変えるための第１のバラクタダイオードを設け、前記容量手段には少なくとも第２のバラクタダイオードを設け、第２のバラクタダイオードに前記同調電圧を印加した。
【００１３】
また、前記容量手段には前記第２のバラクタダイオードに直列に接続された容量素子を設けた。
【考案の効果】
【００１４】
請求項１に記載の考案によれば、不平衡型の同調回路と、同調回路の次段に設けられた平衡型のミキサとを備え、同調回路の出力端をインダクタンス素子と容量手段との直列回路を介して接地し、同調回路の出力端をミキサの一方の入力端に結合し、インダクタンス素子と容量手段との接続点をミキサの他方の入力端に結合したので、直列回路の共振周波数よりも高い周波数の信号又は低い周波数の信号をミキサに平衡入力することができる。
【００１５】
また、請求項２に記載の考案によれば、インダクタンス素子を同調回路の出力端側に設けると共に、容量手段をグランド側に設け、インダクタンス素子と容量手段との直列共振周波数を同調回路からミキサに入力される信号の周波数よりも低くしたので、直列回路の共振周波数よりも高い周波数の信号をミキサに平衡入力することができる。
【００１６】
また、請求項３に記載の考案によれば、容量手段を同調回路の出力端側に設けると共に、インダクタンス素子をグランド側に設け、インダクタンス素子と容量手段との直列共振周波数を同調回路からミキサに入力される信号の周波数よりも高くしたので、直列回路の共振周波数よりも低い周波数の信号をミキサに平衡入力することができる。
【００１７】
また、請求項４に記載の考案によれば、容量手段の容量値を同調回路の同調周波数の増加にともなって小さくしたので、ミキサの他方の入力端に入力する信号のレベルの周波数特性の平坦度を改善できる。
【００１８】
また、請求項５に記載の考案によれば、同調回路には、同調電圧が印加されると共に同調周波数を変えるための第１のバラクタダイオードを設け、容量手段には少なくとも第２のバラクタダイオードを設け、第２のバラクタダイオードに同調電圧を印加したので、同調周波数を高くするに従って、容量手段の容量値を小さくすることができる。
【００１９】
また、請求項６に記載の考案によれば、容量手段には第２のバラクタダイオードに直列に接続された容量素子を設けたので、ミキサの他方の入力端に入力する信号のレベルの周波数特性の平坦度を一層改善できる。
【考案を実施するための最良の形態】
【００２０】
図１は本考案の第１の実施形態の構成を示す。複同調回路１の一次側には入力端１ａとグランドとの間に接続された同調用コイル２と、同調用コイル２に並列接続された、第１のバラクタダイオード３と直流カットコンデンサ４との直列回路とが設けられる。第１のバラクタダイオード３のアノードは入力端１ａに接続され、そのカソードは抵抗５を介して同調電圧端子６に接続される。同調電圧端子６には第１のバラクタだオード３の容量値を制御するための同調電圧が印加される。
【００２１】
二次側には出力端１ｂとグランドとの間に接続された同調用コイル７と、同調用コイル７に並列接続された、第１のバラクタダイオード８と直流カットコンデンサ９との直列回路とが設けられる。第１のバラクタダイオード８のアノードは出力端１ｂに接続され、そのカソードは抵抗１０を介して同調電圧端子６に接続される。
【００２２】
複同調回路１の出力端１ｂとグランドとの間には、直列接続されたインダクタンス素子１１と容量手段１２とからなる直列回路１３が接続される。容量手段１２は容量素子１２ｂと第２のバラクタダイオード１２ａとの直列回路で構成される。そして、インダクタンス素子１１の一端が出力端１ｂ側に接続され、第２のバラクタダイオード１２ａのアノードは接地される。第２のバラクタダイオード１２ａのカソードとインダクタンス素子１１の他端との間に容量素子１２ｂが介挿される。第２のバラクタダイオード１２ａのカソードには抵抗１４を介して同調電圧が印加する。
【００２３】
そして、複同調回路１の出力端が結合コンデンサ１５を介して平衡型ミキサ（ダブルバランスミキサ等）１７の一方の入力端に結合され、インダクタンス素子１１と容量手段１２との接続点が結合コンデンサ１６を介して並行型ミキサ１７の他方の入力端に結合される。そして、平衡型ミキサ１７には発振器１８から局部発振信号が平衡入力される。このことによって、平衡型ミキサ１７からは中間周波信号に周波数変換された中間周波信号が出力され、それが出力端子１７ａ、１７ｂに供給される。
【００２４】
以上の構成において、複同調回路１の出力端１ｂに出力されるテレビジョン信号の電圧値をｅ、インダクタンス素子１１のインダクタンス値をＬ、容量手段１２の容量値をＣとすると、インダクタンス素子１１と容量手段１２との接続点に現れる電圧値ｅ′は（１）式で表される。
ｅ′＝−ｅ／（ω２ＬＣ−１）・・・・・（１）
この式から明らかなように、ω２ＬＣ＞１のときに電圧ｅ´は電圧ｅに対して位相が反転する。即ち、インダクタンス素子１１と容量手段１２とによる直列共振周波数（角周波数をω０とする）以上では電圧ｅ´は電圧ｅに対して位相が反転することになる。
【００２５】
よって、インダクタンス素子１１と容量手段１２とによる直列共振周波数をテレビジョン信号の周波数よりも低くすれば不平衡の複同調回路１を用いて平衡型のミキサにテレビジョン信号を平衡入力することができる。
【００２６】
そして、この電圧は図２に示すような周波数特性を有して、直列共振角周波数ω０よりも高い周波数範囲では、数周波数が高くなるに従ってその絶対値が減少する。従って、（１）式から明らかなように、周波数が高くなるに従って容量手段１２の容量値が小さくなるようにすれば電圧値ｅ´の減少を抑えて平衡型ミキサに入力されるテレビジョン信号の平衡度を改善できる。
【００２７】
そこで、図１に示すように第２のバラクタダイオード１２ａに同調電圧を印加すれば、周波数が高くなるに従って容量手段１２の容量値が小さくなるので上記目的が達成できる。
【００２８】
図３は本考案の第２の実施形態に関わる構成を示す。図３においては、直列回路１３の構成が図１とは異なり、インダクタンス素子１１と容量手段１２との接続位置が互いに逆になている。それ以外の構成は図１と同じである。すなわち、第２のバラクタダイオード１２ａのアノードは複同調回路１の出力端１ｂに接続される。また、インダクタンス素子１１の一端が接地され、第２のバラクタダイオード１２ａのカソードとインダクタンス素子１１の他端との間に容量素子１２ｂが接続されている。
【００２９】
図３の構成において、複同調回路１の出力端１ｂに出力されるテレビジョン信号の電圧値をｅ、インダクタンス素子１１のインダクタンス値をＬ、容量手段１２の容量値をＣとすると、インダクタンス素子１１と容量手段１２との接続点に現れる電圧値ｅ′は（２）式で表される。
ｅ′＝−ｅω２ＬＣ／（１−ω２ＬＣ）・・・・・（２）
この式から明らかなように、１＞ω２ＬＣのときに電圧ｅ´は電圧ｅに対して位相が反転する。即ち、インダクタンス素子１１と容量手段１２とによる直列共振周波数（角周波数をω０とする）以下では電圧ｅ´は電圧ｅに対して位相が反転することになる。
【００３０】
よって、インダクタンス素子１と容量手段１２とによる直列共振周波数をテレビジョン信号の周波数よりも高くすれば不平衡の複同調回路１を用いて平衡型のミキサにテレビジョン信号を平衡入力することができる。
【００３１】
（２）式を変型すると（３）式が得られる。
ｅ′＝−ｅ／（（１／ω２ＬＣ）−１）・・・・・（３）
よって、この電圧は図４に示すような周波数特性を有して、直列共振角周波数ω０以下の周波数範囲では、周波数が高くなるに従ってその絶対値が大きくなる。
従って、（３）式から明らかなように、周波数が高くなるに従って容量手段１２の容量値が小さくなるようにすれば電圧値ｅ´の減少を抑えて平衡型ミキサに入力されるテレビジョン信号の平衡度を改善できる。
【００３２】
なお、第２のバラクタダイオード１２ａに直列接続された、容量手段１２内の容量素子１２ｂは容量手段１２の全体の容量値の周波数特性を補正するものであり、これによって、電圧ｅ′の周波数特性をできるだけ平坦にする効果が得られる。
【図面の簡単な説明】
【００３３】
【図１】本考案のテレビジョンチューナの第１の実施形態の構成を示す回路図である。
【図２】本考案のテレビジョンチューナに関わる第１の実施形態におけるミキサ入力電圧の周波数特性図である。
【図３】本考案のテレビジョンチューナの第２の実施形態の構成を示す回路図である。
【図４】本考案のテレビジョンチューナに関わる第２の実施形態におけるミキサ入力電圧の周波数特性図である。
【図５】従来のテレビジョンチューナの構成を示す回路図である。
【符号の説明】
【００３４】
１：複同調回路
１ａ：入力端
１ｂ：出力端
２、７：同調用コイル
３、８：第１のバラクタダイオード
４、９：直流カットコンデンサ
５、１０、１４：抵抗
６：同調電圧端子
１１：インダクタンス素子
１２：容量手段
１２ａ：第２のバラクタダイオード
１２ｂ：容量素子
１３：直列回路
１５、１６：コンデンサ
１７：平衡型ミキサ
１７ａ、１７ｂ：出力端子
１８：発振器
【図１】
0003103621.tif 000003
【図２】
0003103621.tif 000004
【図３】
0003103621.tif 000005
【図４】
0003103621.tif 000006
【図５】
0003103621.tif 000007